(57)【要約】【課題】本発明は、１台の装置をトラクターに牽引させるだけで人工芝のメンテナンスを行なうことのできる人工芝のメンテナンス装置を提供する。【解決手段】本発明に係る人工芝のメンテナンス装置１０は、パイル６２を植設してなる人工芝６０のメンテナンス装置であって、トラクターにより牽引される台車１２と、前記台車の走行方向となる前方に形成され、前記パイルを掻き解かす複数の爪２１を有するレーキ部２０と、前記台車の前記レーキ部よりも後方に設けられ、前記レーキ部により掻き出されたゴミ８０，８１を吸引する吸取機構３１を具えたスイーパー部３０と、前記台車の前記スイーパー部の後方に設けられ、前記人工芝の表面をブラッシングし、前記パイルの先を立たせて整えるブラシ部４０と、を具える。【選択図】図１
2020128628.tif 000002
【特許請求の範囲】
【請求項１】
パイルを植設してなる人工芝のメンテナンス装置であって、
トラクターにより牽引される台車と、
前記台車の走行方向となる前方に形成され、前記パイルを掻き解かす複数の爪を有するレーキ部と、
前記台車の前記レーキ部よりも後方に設けられ、前記レーキ部により掻き出されたゴミを吸引する吸取機構を具えたスイーパー部と、
前記台車の前記スイーパー部の後方に設けられ、前記人工芝の表面をブラッシングし、前記パイルの先を立たせて整えるブラシ部と、
を具える、人工芝のメンテナンス装置。
【請求項２】
前記スイーパー部は、前記トラクターのドライブシャフトにより動力の供給を受けて回転し、前記ゴミを掻き上げる回転ブラシを具え、
前記吸取機構は、前記回転ブラシにより掻き上げられたゴミのうち、比較的軽量なものを吸引する、
請求項1に記載の人工芝のメンテナンス装置。
【請求項３】
前記スイーパー部は、前記回転ブラシの後方に篩い部を有しており、
前記回転ブラシにより掻き上げられたゴミのうち、前記吸取機構により吸引されないゴミは、前記篩い部に落下し、前記篩い部の目よりも大きなゴミを前記篩い部で回収する、
請求項２に記載の人工芝のメンテナンス装置。
【請求項４】
前記台車は、高さ調整可能に装着された走行用のローラーを具える、
請求項1乃至請求項３の何れかに記載の人工芝のメンテナンス装置。
【発明の詳細な説明】
【技術分野】
【０００１】
本発明は、グラウンドなどに敷設された人工芝のメンテナンス装置に関するものである。
【背景技術】
【０００２】
グラウンドなどに敷設された人工芝は、長期に亘り使用すると、踏圧や経年劣化により、パイルが寝たり、ゴムチップや砂などの充填材に埋もれてしまうことがある。また、人工芝に苔やカビ、ダニが発生し、不衛生になることがある。また、充填材が硬化し目詰りを起こしたり、パイルの切れ端、髪の毛、布きれ、紙、鳥の糞、草、木片などのゴミがパイル間に混ざり、水溜まりが発生してしまうことがある。
【０００３】
このため、人工芝は定期的にメンテナンスする必要がある。たとえば、特許文献１では、充填材の一部に強磁性体を使用し、人工芝に磁場を作用させることで、充填材を撹拌し、硬化をほぐすようにしている。
【先行技術文献】
【特許文献】
【０００４】
【特許文献１】特開平１０−２３７８１５号公報
【発明の開示】
【発明が解決しようとする課題】
【０００５】
充填材に強磁性体を採用することで上記した問題の内、充填材の硬化は防がれるが、その他の問題は解消されない。
【０００６】
本発明の目的は、１台の装置をトラクターに牽引させるだけで人工芝のメンテナンスを行なうことのできる人工芝のメンテナンス装置を提供することである。
【課題を解決するための手段】
【０００７】
本発明に係る人工芝のメンテナンス装置は、
パイルを植設してなる人工芝のメンテナンス装置であって、
トラクターにより牽引される台車と、
前記台車の走行方向となる前方に形成され、前記パイルを掻き解かす複数の爪を有するレーキ部と、
前記台車の前記レーキ部よりも後方に設けられ、前記レーキ部により掻き出されたゴミを吸引する吸取機構を具えたスイーパー部と、
前記台車の前記スイーパー部の後方に設けられ、前記人工芝の表面をブラッシングし、前記パイルの先を立たせて整えるブラシ部と、
を具える。
【０００８】
前記スイーパー部は、前記トラクターのドライブシャフトにより動力の供給を受けて回転し、前記ゴミを掻き上げる回転ブラシを具え、
前記吸取機構は、前記回転ブラシにより掻き上げられたゴミのうち、比較的軽量なものを吸引する構成とすることができる。
【０００９】
前記スイーパー部は、前記回転ブラシの後方に篩い部を有しており、
前記回転ブラシにより掻き上げられたゴミのうち、前記吸取機構により吸引されないゴミは、前記篩い部に落下し、前記篩い部の目よりも大きなゴミを前記篩い部で回収することができる。
【００１０】
前記台車は、高さ調整可能に装着された走行用のローラーを具えることが望ましい。
【発明の効果】
【００１１】
本発明に係る人工芝のメンテナンス装置は、１基の台車にレーキ部、スイーパー部及びブラシ部を具えている。これにより、レーキ部、スイーパー部、ブラシ部をそれぞれ別個に搭載した台車を複数用意する場合に比べて、メンテナンス装置を輸送するトラックの台数を削減でき、環境に優しく、また、輸送コストを低減できる。
【００１２】
人工芝のメンテナンス装置は、レーキ部により人工芝のパイルを掻き解かすと共に、ゴミを浮き上がらせ、スイーパー部の吸取機構により当該ゴミを吸い込む。そして、ブラシ部によりパイルの先を立たせて整えると共に、充填材を均す。これにより、人工芝のメンテナンスを容易に行なうことができる。
【図面の簡単な説明】
【００１３】
【図１】図１は、本発明の人工芝のメンテナンス装置の説明図である。
【図２】図２は、図１の丸囲み部Ａで示すメンテナンス前の人工芝の状態の説明図である。
【図３】図３は、図１の丸囲み部Ｂで示すメンテナンス後の人工芝の状態の説明図である。
【発明を実施するための形態】
【００１４】
以下、本発明の人工芝６０のメンテナンス装置１０について図面を参照しながら説明を行なう。
【００１５】
人工芝６０は、図１に示すように、地盤７０の上に敷設される。人工芝６０は、図２、図３に拡大して示すように、基布６１にパイル６２を植設して形成され、パイル６２間にゴムチップ、コルクチップ、ウレタン（樹脂）チップや砂（図中符号６４で示し、「ゴムチップや砂粒等」と称する）などの充填材６３が充填されている。人工芝６０は、経年使用により、図１の丸囲み部Ａ、すなわち、拡大図２に示すようにパイル６２が踏圧等により寝てしまい、パイル６２の切れ端、髪の毛、布きれ、紙、鳥の糞、草、木片などのゴミ８０，８１が人工芝６０に付着したり、絡みついてしまう。また、充填材６３が波打ってしまっている。
【００１６】
このような人工芝６０には、パイル６２の先を立たせ、ゴミ８０，８１を取り除き、さらに、波打った充填材６３を均すメンテナンスが必要になる。
【００１７】
本発明の人工芝６０のメンテナンス装置１０は、上記メンテナンスを１基の台車１２に搭載した機器により実施できるようにしたものである。
【００１８】
メンテナンス装置１０は、図１に概略構成を断面して示すように、台車１２にレーキ部２０、スイーパー部３０及びブラシ部４０を搭載して構成され、台車１２の前端に取り付けられた連結器１３により図示しないトラクターに連結可能となっている。
【００１９】
台車１２は、前後にローラー１４が装着されており、人工芝６０の上をトラクターの牽引により走行可能（図１では右向きに走行する）となっている。ローラー１４は、台車１２に対して高さ調整可能とすることで、人工芝６０に対するレーキ部２０等の高さを適宜調整することができる。
【００２０】
＜レーキ部２０＞
台車１２の前端には、パイル６２を掻き解かすレーキ部２０が形成されている。レーキ部２０は、台車１２の幅方向に長く形成され、図１に示すように、下向きに延びる爪２１を幅方向に複数配置して構成される。レーキ部２０は、後述する回転ブラシ３５と同様、トラクターのドライブシャフト５０から動力供給を受け、左右に振動する構成としている（動力伝達機構は図示せず）。図示の実施形態では、爪２１は、レーキ部２０のフレーム２２から一旦後方に向けて延び、先端が下方に屈曲した構成としている。これにより、爪２１は、前後方向に撓むことができるから、台車１２を走行させたときに、爪２１が人工芝６０に突き刺さって破損してしまうことを防止できる。なお、レーキ部２０は上下に揺動可能とすることが望ましい。
【００２１】
＜スイーパー部＞
レーキ部２０の後方には、ゴミ８０，８１を吸引する吸取機構３１を具えたスイーパー部３０が設けられている。本実施形態では、スイーパー部３０は、吸取機構３１の下方に回転ブラシ３５を設けており、回転ブラシ３５によりゴミ８０，８１や充填材６３を構成するゴムチップや砂粒等６４を掻き上げ、掻き上げられたゴミ８０，８１のうち、比較的軽量なゴミ８０のみを吸取機構３１により真空吸引するようにしている。回転ブラシ３５により掻き上げられたゴミ８０，８１のうち比較的重量のあるゴミ８１、ゴムチップや砂粒等６４は、吸取機構３１に吸い取られることなく、自重により回転ブラシ３５の後方に配置された篩い部３８で篩われて、ゴミ８１が回収されるようにしている。
【００２２】
まず、回転ブラシ３５から説明すると、回転ブラシ３５は、台車１２の幅方向に長く形成されて軸支された軸部３５ａと、軸部３５ａの周面に植設されたブラシ３５ｂを有する。軸部３５ａは、スプロケット３６，３６とチェーン３６ａからなる動力伝達機構により、台車１２の前端に設けられた継手手段３７に連繋されている。継手手段３７は、トラクターのドライブシャフト５０に連繋され、軸部３５ａを回転可能としている。なお、動力伝達機構には、クラッチ機構を具え、回転ブラシ３５の回転方向を正逆切替できることが望ましい。
【００２３】
回転ブラシ３５は図中矢印で示すように、台車１２の走行方向に沿う向きブラシ３５ｂを回転させている。これにより、回転ブラシ３５は、ゴミ８０等を後方に掻き上げる。
【００２４】
吸取機構３１は、回転ブラシ３５の上部に配置している。吸取機構３１は、吸込口３２ａが回転ブラシ３５に向けられたバキュームモーター３２を例示できる。バキュームモーター３２はたとえばブロワーを逆回転させたものを利用できる。台車１２にはダストケース３４が載置されており、ダストケース３４は、バキュームモーター３２の吐出口３２ｂと配管３３で接続されている。
【００２５】
回転ブラシ３５の後方には、篩い部３８が設けられている。篩い部３８は、図示では２段構成の篩い３８ａ，３８ｂとしている。上段の篩い３８ａは、たとえばドライブシャフト５０から動力を受けて前後に振動するよう配置することが望ましい（動力伝達機構は図示せず）。これにより、塊状のゴミ８１であってもある程度ばらすことができる。下段の篩い３８ｂは、上段の篩い３８ａを通過したゴミ８１、ゴムチップや砂粒等６４を篩う。なお、上段の篩い３８ａが目詰りしてあふれることのないように、上段の篩い３８ａの後端はフラットにしている。篩い３８ａ，３８ｂの目は、ゴムチップや砂粒等６４を通すが、比較的大きな木片などのゴミ８１を通さない粗さとすることが望ましい。
【００２６】
＜ブラシ部４０＞
台車１２の後方には、パイル６２の先を立たせて整え、また、充填材６３を均すブラシ部４０が形成されている。ブラシ部４０は、台車１２の後方に配置されたブラシフレーム４２を有し、ブラシフレーム４２から台車１２の下方に向けてブラシ４１が植設されている。ブラシ部４０は、台車１２に上下に揺動可能に配置することが望ましい。
【００２７】
上記構成のメンテナンス装置１０による人工芝６０のメンテナンス方法について説明する。
【００２８】
メンテナンスを要する人工芝６０は、図２に示すように、パイル６２が倒れてしまったり、ゴミ８０，８１が付着等しており、さらには、充填材６３が硬化し、波打った状態になっている。なお、ゴミは、符号８０で示す四角形のものが比較的軽量のパイル６２の切れ端、髪の毛、布きれ、紙、鳥の糞、草、葉っぱ、小さな木片などのゴミである。また、符号８１で示す三角形のゴミは、小枝など大きな木片、針金など比較的大きくて重量のあるゴミである。符号６４は充填材６３を構成するゴムチップや砂粒等である。
【００２９】
然して、トラクターにメンテナンス装置１０の連結器１３を装着し、継手手段３７をドライブシャフト５０に連繋する。そして、人工芝６０の上でトラクターを走行させ、メンテナンス装置１０を牽引する。
【００３０】
メンテナンス装置１０は、まず、レーキ部２０の爪２１が人工芝６０のパイル６２間に侵入し、パイル６２を掻き解かす。これにより、パイル６２間に埋没や絡みついていたゴミ８０，８１、ゴムチップや砂粒等６４がパイル６２から浮き出る。また、塊状となった充填材６３をほぐすことができる。レーキ部２０を左右に振動させることで、より効率的にパイル６２をほぐすことができ、ゴミ８０等の浮き出しを行なうことができる。
【００３１】
トラクターをさらに走行させることで、パイル６２上に浮き出されたゴミ８０，８１、ゴムチップや砂粒等６４の上をスイーパー部３０が通過する。スイーパー部３０は、トラクターのドライブシャフト５０により回転する回転ブラシ３５を有しているから、回転ブラシ３５はゴミ８０，８１、ゴムチップや砂粒等６４を掻き出す。回転ブラシ３５は、図１に矢印で示すように、走行方向に沿う方向に回転することで、ゴミ８０，８１等を後方に向けて掻き上げる。そして、掻き上げられたゴミ８０，８１、ゴムチップや砂粒等６４のうち、吸取機構３１により比較的軽量なゴミ８０が吸引されて、ダストケース３４に回収される。
【００３２】
吸取機構３１により吸引されない比較的重量のあるゴミ８１、ゴムチップや砂粒等６４は、遠心力と重力作用により回転ブラシ３５から脱落し、篩い部３８に落下する。篩い部３８は、上段の篩い３８ａはドライブシャフト５０により前後に振動するから、ゴミ８１が塊状であってもばらすことができる。そして、ばらしても上段の篩い３８ａの目を通過できない大きなゴミ８１は、上段の篩い３８ａに残る。一方、ゴムチップや砂粒等６４は、上段の篩い３８ａを通過し、下段の篩い３８ｂに落下して、下段の篩い３８ｂを通過して、人工芝６０に戻る。本実施形態では、上段の篩い３８ａを振動させているから、上段の篩い３８ａは目詰りを起こし難く、また、上段の篩い３８ａを通過しないゴミ８１は、上段の篩い３８ａの振動により、上段の篩い３８ａの後端から下段の篩い３８ｂに落下するため、上段の篩い３８ａに多くのゴミ８１が溜まることもない。
【００３３】
なお、回転ブラシ３５により、パイル６２の先が立ち上がる効果もある。
【００３４】
スイーパー部３０により、ゴミ８０，８１が除去された人工芝６０は、まだ次に、ブラシ部４０により均される。ブラシ部４０により、人工芝６０は表面がブラッシングされ、図１の丸囲み部Ｂを示す拡大図３のように、パイル６２の先が立ち上がって整えられる。また、充填材６３は、均される。
【００３５】
人工芝６０の全面にメンテナンス装置１０を走行させることで、人工芝６０のメンテナンスは完了する。メンテナンスの完了した人工芝６０は、ゴミ８０，８１が除去され、パイル６２の先が立ち上がっており、充填材６３もほぼ均等に均された状態になる。
【００３６】
上記により人工芝６０のメンテナンスは完了するが、さらにパイル６２の目を揃えるために、仕上げメンテナンスを行なうことが望ましい。仕上げメンテナンスは、回転ブラシ３５をクラッチ機構によって図１の矢印とは逆回転とし、再度人工芝６０上でメンテナンス装置１０を走行させればよい。これにより、人工芝６０は、パイル６２の先が立ち上がって目が揃ったきれいな状態に仕上げることができる。
【００３７】
本発明では、レーキ部２０とブラシ部４０を上下に揺動可能に台車１２に配置し、それぞれ自重により人工芝６０に押し付けられるようにしているから、グラウンドに多少の凹凸があっても、レーキ部２０やブラシ部４０が人工芝６０を傷付けることはなく、また、レーキ部２０やブラシ部４０が損傷してしまうこともない。
【００３８】
また、本発明のメンテナンス装置１０によれば、レーキ部２０、スイーパー部３０及びブラシ部４０を１基の台車１２に搭載できるから、輸送するトラックの台数を削減でき、環境に優しく、また、輸送コストを低減できる。さらに、メンテナンス装置１０を牽引するトラクターも１台で済み、また、レーキ部２０やスイーパー部３０、ブラシ部４０を個々にトラクターに装着しなくてもよく、トラクターの走行も一度で済むため、作業効率も高めることができる。
【００３９】
上記実施例の説明は、本発明を説明するためのものであって、特許請求の範囲に記載の発明を限定し、或は範囲を減縮する様に解すべきではない。又、本発明の各構成要素は上記実施例に限らず、特許請求の範囲に記載の技術的範囲内で種々の変形が可能であることは勿論である。
【符号の説明】
【００４０】
１２  メンテナンス装置
２０  レーキ部
３０  スイーパー部
３１  吸取機構
３５  回転ブラシ
３８  篩い部
４０  ブラシ部
６０  人工芝
６２  パイル
６４  ゴムチップや砂粒等
８０  ゴミ
８１  ゴミ
【図１】
2020128628.tif 000003
【図２】
2020128628.tif 000004
【図３】
2020128628.tif 000005